(57)【要約】【課題】  異なった素材を組み合わせ、カラフルで遊び心があり、また個性的な主張が可能であり、しかも安価に製造できる表札を提供する。【解決手段】  板状の基板２の表面に所定パターンで凹部を形成し、該凹部にブロック状のカラーガラス片３Ａ、３Ｂ又は着色合成樹脂片を一部埋め込んで固着し、残余の基板表面に姓又は姓名の表示部４を刻設した。基板の素材が、磁器質タイル、天然石、人工石、金属板から選ばれた一種であり、カラーガラス片又は着色合成樹脂片が面取り加工又は多面体加工したものである。【選択図】        図３
2009156894.tif 000002
【特許請求の範囲】
【請求項１】
板状の基板の表面に所定パターンで凹部を形成し、該凹部にブロック状のカラーガラス片又は着色合成樹脂片を一部埋め込んで固着し、残余の基板表面に姓又は姓名の表示部を刻設したことを特徴とする表札。
【請求項２】
前記基板の素材が、磁器質タイル、天然石、人工石、金属板から選ばれた一種である請求項１記載の表札。
【請求項３】
前記カラーガラス片又は着色合成樹脂片が面取り加工又は多面体加工したものである請求項１又は２記載の表札。
【請求項４】
前記カラーガラス片が、透明ガラスの表層部に着色ガラスを積層したものである請求項１〜３何れかに記載の表札。
【請求項５】
前記基板が正面視四角形であり、前記カラーガラス片又は着色合成樹脂片も正面視四角形であり、前記カラーガラス片又は着色合成樹脂片の大きさが一種類又は二種類である請求項１〜４何れかに記載の表札。
【請求項６】
前記基板の裏面に固着用の凹凸を形成してなる請求項１〜５何れかに記載の表札。
【発明の詳細な説明】
【技術分野】
【０００１】
本発明は、玄関や門柱等に設置する表札に係わり、更に詳しくは異種素材を組み合わせて構成した表札に関するものである。
【背景技術】
【０００２】
従来からブロック状の木材、石材あるいは金属材の表面に文字を刻設した表札は、最も一般的であり、広く普及している。しかし、単一の素材で構成した表札は、シンプルで洗練されたものではあるが、個性を主張すること、遊び心を演出することは困難である。そこで、新しい素材を用いたり、複数の素材を組み合わせて個性的な表札を構成することも従来より行われている。
【０００３】
例えば、特許文献１には、石材の表面に文字を彫り、彫った凹部にガラスを直接溶かし込んだ構造の表札が開示されている。ここで、ガラスは原材料を直接石材の凹部に入れ、石材の耐熱温度を考慮に入れ加熱溶解し、冷却後に研磨している。
【０００４】
また、特許文献２には、タイルと、該タイルの表面に形成された釉薬層と、該釉薬層の表面に転写により形成された文字と図形との表示体とよりなる表札が開示されている。
【０００５】
しかし、特許文献１に記載の表札は、石材表面に彫った凹部にガラスの原材料を入れて石材ごと加熱処理してガラスを溶解する製法であり、加熱炉などの大掛かりな設備が必要で、また製造コストが嵩む問題がある。また、特許文献１に記載の表札は、釉薬層の表面に表示体を転写する際には、陶器用転写シートを用いてインキを該釉薬層の表面に移転させるが、表示体の耐久性に劣り、経年劣化することは避けられない。
【特許文献１】実用新案登録第３０４１８７４号公報
【特許文献２】実用新案登録第３０９５９２１号公報
【発明の開示】
【発明が解決しようとする課題】
【０００６】
そこで、本発明が前述の状況に鑑み、解決しようとするところは、異なった素材を組み合わせ、カラフルで遊び心があり、また個性的な主張が可能であり、しかも安価に製造できる表札を提供する点にある。
【課題を解決するための手段】
【０００７】
本発明は、前述の課題解決のために、板状の基板の表面に所定パターンで凹部を形成し、該凹部にブロック状のカラーガラス片又は着色合成樹脂片を一部埋め込んで固着し、残余の基板表面に姓又は姓名の表示部を刻設したことを特徴とする表札を構成した（請求項１）。
【０００８】
ここで、前記基板の素材が、磁器質タイル、天然石、人工石、金属板から選ばれた一種であることが好ましい（請求項２）。
【０００９】
また、前記カラーガラス片又は着色合成樹脂片が面取り加工又は多面体加工したものであることが好ましい（請求項３）。
【００１０】
また、前記カラーガラス片が、透明ガラスの表層部に着色ガラスを積層したものであるとより好ましい（請求項４）。
【００１１】
そして、前記基板が正面視四角形であり、前記カラーガラス片又は着色合成樹脂片も正面視四角形であり、前記カラーガラス片又は着色合成樹脂片の大きさが一種類又は二種類であることも好ましい（請求項５）。
【００１２】
更に、前記基板の裏面に固着用の凹凸を形成してなるとより好ましい（請求項６）。
【発明の効果】
【００１３】
以上にしてなる請求項１に係る発明の表札は、板状の基板の表面に所定パターンで凹部を形成し、該凹部にブロック状のカラーガラス片又は着色合成樹脂片を一部埋め込んで固着し、残余の基板表面に姓又は姓名の表示部を刻設したので、表札本来の機能に加えて、明るくカラフルな透明感を醸し出すことができ、玄関や門柱、門扉周りの雰囲気を明るくすることができる。
【００１４】
請求項２によれば、異質な素材を組み合わせた斬新な表札を実現でき、特に表面が白い釉薬で覆われた磁器質タイルにカラーガラス片を散りばめた構成とすることにより、特に明るくカラフルな透明感を醸し出すことができる。また、その他の天然石、人工石、金属板からなる基板とカラーガラス片又は着色合成樹脂片との組み合わせにおいても、従来にない斬新でお洒落な表札を提供できるのである。
【００１５】
請求項３によれば、前記カラーガラス片又は着色合成樹脂片が面取り加工又は多面体加工したものであると、光の屈折、反射によって装飾効果が更に優れる。
【００１６】
請求項４によれば、前記基板が正面視四角形であり、前記カラーガラス片又は着色合成樹脂片も正面視四角形であり、前記カラーガラス片又は着色合成樹脂片の大きさが一種類又は二種類であると、各部材の製造コストを抑制できるにも係わらず、大小異なる四角形の立体的な組み合わせにより、また素材の組み合わせと相俟って、洗練された斬新な表札となる。
【００１７】
請求項５によれば、前記カラーガラス片が、透明ガラスの表層部に着色ガラスを積層したものであると、側面からの入射光と表面からの透過光とが合成されて、カラーガラス片の底面部に綺麗な光の明暗模様が発現し、光装飾効果を更に高めることができる。
【００１８】
請求項６によれば、前記基板の裏面に固着用の凹凸を形成したので、表札を壁面に接着剤、シーラント若しくはモルタル等の接合剤で固定する際の強度が高くなる。
【発明を実施するための最良の形態】
【００１９】
次に、添付図面に示した実施形態に基づき、本発明を更に詳細に説明する。図1〜図４は本発明に係る表札の第１実施形態を示し、図１は表札の斜視図、図２はその分解斜視図、図３は表札の正面図、図４はその断面図を示し、図中符号１は表札、２は基板、３はカラーガラス片、４は表示部をそれぞれ示している。
【００２０】
本発明に係る表札１は、板状の基板２の表面に所定パターンで凹部５，…を形成し、該凹部５，…にブロック状のカラーガラス片３，…又は着色合成樹脂片を一部埋め込んで固着し、残余の基板表面に姓又は姓名の表示部４を刻設したものである。
【００２１】
本実施形態では、前記基板２は、正方形の磁器質タイルで、表面に純白の釉薬がかかったものを用いた。そして、前記磁器質タイルの表面に大小二種類の正方形の凹部５Ａと凹部５Ｂを研削により形成し、大きい凹部５Ａに大きい正方形のカラーガラス片３Ａを、一部が埋まるように固着し、同様に小さい凹部５Ｂに小さい正方形のカラーガラス片３Ｂを、一部が埋まるように固着する。本実施形態では、基板２の上部に二つのカラーガラス片３Ａ，３Ａを配置し、中央部やや下方に対角線を上下左右に向けて一つのカラーガラス片３Ｂを配置している。
【００２２】
そして、図３に示すように、上部のカラーガラス片３Ａ，３Ａと下方のカラーガラス片３Ｂの間の表面に、姓を横書きローマ字で刻設するとともに、その刻設した文字の凹部内面を黒く着色して表示部４とするとともに、下部のカラーガラス片３Ｂの下方に姓を横書き漢字で刻設するとともに、その刻設した文字の凹部内面を黒く着色して表示部４とする。
【００２３】
また、前記基板２の裏面には、図示しないが固着用の凹凸を形成している。それにより、表札１を玄関や門柱等の壁面に、接着剤、シーラント若しくはモルタル等の接合剤で固定する作業が容易になり、また固着強度も高くなる。
【００２４】
ここで、前記基板２として、磁器質タイルを用いたが、天然石、人工石あるいは金属板を用いることも可能である。また、本実施形態で用いた前記カラーガラス片３は、四角形のブロック状であり、表面の角部を円弧状に面取り加工したものであり、更に透明ガラスの表層部に着色ガラスを積層した構造である。尚、面取り加工の代わりに、クリスタルカットのような多面体加工したものも好ましい。そして、前記カラーガラス片３の代わりに、着色合成樹脂片を用いることも可能であるが、その場合には光の装飾効果を高めるために透明感のある淡い色彩のものを用いる。
【００２５】
本実施形態の表札１は、上部の左側のカラーガラス片３Ａが淡黄色、右側のカラーガラス片３Ａが淡橙色、下部のカラーガラス片３Ｂが淡緑色としている。色の配列は好みに応じて自由に選択可能である。本実施形態の表札１では、純白の基板２の表面に黒色の表示部４が良く映え、また複数の淡い色のカラーガラス片３，…とが組み合わさって光のモニュメントが形成されるのである。
【００２６】
次に、図５〜図１０に基づいて第２〜７実施形態の表札１を簡単に説明する。何れの実施形態とも基板２は磁器質タイルを用い、複数のカラーガラス片３，…を組み合わせて構成する。先ず、第２実施形態の表札１は、図５に示すように、正方形の基板２の左側端に沿って上下に３個のカラーガラス片３Ａ，…を等間隔で配置し、最上段のカラーガラス片３Ａの右側に姓を横書きローマ字で刻設するとともに、右側端に沿った下部に姓を縦書き漢字で刻設し、文字の凹部内を黒色に着色したものである。ここで、前記カラーガラス片３Ａ，…の色は、上から順に淡橙色、淡黄色、淡緑色である。その他の構成は、第１実施形態と同様であり、同一構成には同一符号を付してその説明は省略する。
【００２７】
第３実施形態の表札１は、図６に示すように、正方形の基板２の中央部やや上寄りに４個のカラーガラス片３Ａ，…を等間隔で２列に配置し、下部に姓を横書きローマ字で刻設し、文字の凹部内を黒色に着色したものである。ここで、前記カラーガラス片３Ａ，…の色は、右上と左下が淡黄色、左上と右下が淡青色である。その他の構成は、第１実施形態と同様であり、同一構成には同一符号を付してその説明は省略する。
【００２８】
第４実施形態の表札１は、図７に示すように、正方形の基板２の右上部から左下部にかけて直線状に４個のカラーガラス片３Ｂ，…を等間隔で配置し、左上部に第１の姓を横書き漢字で刻設し、右下部に第２の姓を横書き漢字で刻設し、文字の凹部内を黒色に着色したものである。ここで、前記カラーガラス片３Ｂ，…の色は、右上部から左下部に順に、淡青色、淡黄色、淡緑色、淡黄色、淡橙色である。本実施形態の表札１は、姓が異なる二世帯が同居する場合に利用することができる。その他の構成は、第１実施形態と同様であり、同一構成には同一符号を付してその説明は省略する。
【００２９】
第５実施形態の表札１は、図８に示すように、横長の長方形の基板２の左上部に１個のカラーガラス片３Ａを配置し、その右斜め下方向に２個のカラーガラス片３Ｂ，３Ｂを配置し、前記カラーガラス片３Ａの右側に姓を横書きローマ字で刻設し、右下部に姓を横書き漢字で刻設し、文字の凹部内を黒色に着色したものである。ここで、前記カラーガラス片３Ａの色は淡橙色、前記カラーガラス片３Ｂ，３Ｂのうち左上は淡黄色、右下が淡橙色である。その他の構成は、第１実施形態と同様であり、同一構成には同一符号を付してその説明は省略する。
【００３０】
第６実施形態の表札１は、図９に示すように、横長の長方形の基板２の左上部に２個のカラーガラス片３Ｂ，３Ｂを対角線を上下左右に向けて配置するとともに、右下部に２個のカラーガラス片３Ｂ，３Ｂを対角線を上下左右に向けて配置し、中央部に姓を横書き漢字で刻設し、その下方に姓を横書きローマ字で小さく刻設し、文字の凹部内を黒色に着色したものである。ここで、左上部の前記カラーガラス片３Ｂ，３Ｂの色は、上から淡青色、淡緑色であり、右下部の前記カラーガラス片３Ｂ，３Ｂの色は、上から淡黄色、淡橙色である。その他の構成は、第１実施形態と同様であり、同一構成には同一符号を付してその説明は省略する。
【００３１】
第７実施形態の表札１は、図１０に示すように、横長の長方形の基板２の中央部やや下方位置から右側端へ４個のカラーガラス片３Ｂ，…を対角線を上下左右に向けて一列に配置し、左上部に姓を横書き漢字で刻設し、前記カラーガラス片３Ｂ，…の下方に姓を横書きローマ字で小さく刻設し、文字の凹部内を黒色に着色したものである。ここで、前記カラーガラス片３Ｂ，…の色は、左から右へ淡緑色、淡橙色、淡黄色、淡青色である。その他の構成は、第１実施形態と同様であり、同一構成には同一符号を付してその説明は省略する。
【００３２】
以上の実施形態において、基板２の形状やカラーガラス片３の大きさ、個数、配置、色は一例を示したものであり、多くのバリエーションが可能である。また、基板２として磁器質タイルを用いたが、その他の素材を用いて同様に表札１を構成することが可能である。
【図面の簡単な説明】
【００３３】
【図１】本発明の第1実施形態に係る表札の斜視図である。
【図２】同じく表札の分解斜視図である。
【図３】同じく表札の正面図である。
【図４】同じく表札の断面図であり、（ａ）は図３のＡ−Ａ線断面図、（ｂ）は図３のＢ−Ｂ線断面図である。
【図５】第２実施形態の表札を示し、（ａ）は正面図、（ｂ）は側面図である。
【図６】第３実施形態の表札を示し、（ａ）は正面図、（ｂ）は側面図である。
【図７】第４実施形態の表札を示し、（ａ）は正面図、（ｂ）は側面図である。
【図８】第５実施形態の表札を示し、（ａ）は正面図、（ｂ）は側面図である。
【図９】第６実施形態の表札を示し、（ａ）は正面図、（ｂ）は側面図である。
【図１０】第７実施形態の表札を示し、（ａ）は正面図、（ｂ）は側面図である。
【符号の説明】
【００３４】
１  表札
２  基板
３、３Ａ、３Ｂ  カラーガラス片
４  表示部
５、５Ａ、５Ｂ  凹部
【図１】
2009156894.tif 000003
【図２】
2009156894.tif 000004
【図３】
2009156894.tif 000005
【図４】
2009156894.tif 000006
【図５】
2009156894.tif 000007
【図６】
2009156894.tif 000008
【図７】
2009156894.tif 000009
【図８】
2009156894.tif 000010
【図９】
2009156894.tif 000011
【図１０】
2009156894.tif 000012